(57)【要約】【課題】ホースが収納されていない吐水管を備えた水栓と構成部品の共通化を図ることのできる、ホースが収納された吐水管を提供し、更にその吐水管を備えた水栓を提供する。【解決手段】ホース収納式吐水管１は、水栓Ａに装着されるホルダー２と、該ホルダー２の内部に収納される通水管３と、該通水管３の内部に引き出し自在に収納されるホース５と、該ホース５の先端に接続され、通水管３に着脱自在に支持されるシャワーヘッド４とを備えた。ホース収納式吐水管を備えた水栓Ａは、カウンター１６に固定される水栓本体１７と、該水栓本体１７に収容される混合弁１８と、該混合弁１８で調節された湯水が吐水される前記ホース収納式吐水管１とを備えた。【選択図】  図２
2004225525.tif 000002
【特許請求の範囲】
【請求項１】
水栓に装着されるホルダーと、該ホルダーの内部に収納される通水管と、該通水管の内部に引き出し自在に収納されるホースと、該ホースの先端に接続され、通水管に着脱自在に支持されるシャワーヘッドとを備えたことを特徴とするホース収納式吐水管。
【請求項２】
前記通水管はホルダーの内部を摺動自在に収納されることを特徴とする請求項１記載のホース収納式吐水管。
【請求項３】
水栓に装着されるホルダーと、該ホルダーの内部に収納される通水管と、内部にスライド管を収容したシャワーヘッドと、前記通水管及びスライド管の内部に引き出し自在に収容されるホースとを備えたことを特徴とするホース収納式吐水管。
【請求項４】
前記ホースに摺動部材を結合し、該摺動部材が通水管内を水密的に摺動することを特徴とする請求項１乃至３の何れかに記載のホース収納式吐水管。
【請求項５】
前記ホースに摺動部材を結合し、該摺動部材がスライド管内を水密的に摺動することを特徴とする請求項３記載のホース収納式吐水管。
【請求項６】
カウンターに固定される水栓本体と、該水栓本体に収容される混合弁と、該混合弁で調節された湯水が吐水される吐水管とを備え、該吐水管は水栓本体に装着されるホルダーと、該ホルダーの内部に収納される通水管と、該通水管の内部に引き出し自在に収納されるホースと、該ホースの先端に接続され、通水管に着脱自在に支持されるシャワーヘッドとを備えたことを特徴とするホース収納式吐水管を備えた水栓。
【請求項７】
前記通水管はホルダーの内部を摺動自在に収納されることを特徴とする請求項６記載のホース収納式吐水管を備えた水栓。
【請求項８】
カウンターに固定される水栓本体と、該水栓本体に収容される混合弁と、該混合弁で調節された湯水が吐水される吐水管とを備え、該吐水管は水栓本体に装着されるホルダーと、該ホルダーの内部に収納される通水管と、内部にスライド管を収容したシャワーヘッドと、前記通水管及びスライド管の内部に引き出し自在に収容されるホースとを備えたことを特徴とするホース収納式吐水管を備えた水栓。
【請求項９】
前記ホースに摺動部材を結合し、該摺動部材が通水管内を水密的に摺動することを特徴とする請求項６乃至８の何れかに記載のホース収納式吐水管を備えた水栓。
【請求項１０】
前記ホースに摺動部材を結合し、該摺動部材がスライド管内を水密的に摺動することを特徴とする請求項８記載のホース収納式吐水管を備えた水栓。
【発明の詳細な説明】
【０００１】
【発明の属する技術分野】
この発明は、流し台又は洗面台等で使用される水栓に装着されるホース収納式吐水管及びホース収納式吐水管を備えた水栓に関する。
【０００２】
【従来の技術】
従来、流し台又は洗面台等に固定され、シャワーヘッドをホースと共にホルダーから引き出して広い範囲に吐水できるようにした水栓６３は、図１４に示すように水栓本体６４の下部に形成された取付筒６５をカウンター６１に穿設された取付孔６２に挿通し、カウンター６１の下部からナット６６を取付筒６５に螺着することによりカウンター６１に固定されている。前記取付筒６５には給水源に連通する給水管６７と、給湯源と連通する給湯管６８と、水栓本体６４に収容されている混合弁６９で混合された湯水が供給される供給管７０と、該供給管７０とシャワーヘッド７１とを接続するホース７２とが挿通している。前記混合弁６９はレバー７３と連繋し、該レバー７３を上下又は左右に回転操作することにより、シャワーヘッド７１から吐水される湯水の流量及び温度が調節される。
【０００３】
前記水栓本体６４には斜め上方に延びる吐水管７４が回転自在に装着されており、該吐水管７４の内部にはホース７２が引き出し自在に収納され、該ホース７２の一方は前記供給管７０と接続し、他方は湯水が吐水されるシャワーヘッド７１と接続している。したがって、前記混合弁６９で調節された湯水はホース７２を通過し、吐水管７３に着脱自在に支持されたシャワーヘッド７１から吐水される。（例えば、特許文献１参照）。
【０００４】
【特許文献１】
特開平８−１３４９７０号公報（第２頁、図３）
【０００５】
【発明が解決しようとする課題】
ところで、吐水管にホースが収納されておらず、湯水が吐水管の内部を通過して先端から直接吐水される水栓では、取付筒には給水管と給湯管とが挿通するのみであり、供給管とホースとは取付筒に挿通しないのに対し、ホースが収納されている吐水管が装着された水栓においては、取付筒に給水管と給湯管だけでなく、さらに供給管とホースとを挿通させる必要があり、取付筒を大径とし、カウンターの取付孔を取付筒が挿通できるように大径としている。したがって、ホースが吐水管に収納されていない水栓と、ホースが吐水管に収納された水栓とは、水栓の構造が全く異なるものであり、互いに互換性がなく、製造メーカーでは２種類の互いに異なるタイプの水栓を製造し、多数の構成部品が必要となり、管理しなければならず、水栓を安価に提供することができない。
【０００６】
また水栓の利用者は、例えばホースが収納されていない吐水管を備えた水栓がカウンターに固定されている場合に、ホースが収納された吐水管を備えた水栓に変更するには、水栓を取り外してカウンターの取付孔を大径とした後に、新たに購入した水栓をカウンターに固定する必要があり、カウンターからの取り外し及び取付作業が面倒であるうえ、高価な水栓を購入するのは経済的に大きな負担となるものであった。
【０００７】
この発明は、このような従来の技術に存在する問題点に着目したものであり、その目的は、ホースが収納されていない吐水管を備えた水栓と構成部品の共通化を図ることのできる、ホースが収納された吐水管を提供し、更にその吐水管を備えた水栓を提供することである。
【０００８】
【課題を解決するための手段】
本発明は請求項１では、ホース収納式吐水管は、水栓に装着されるホルダーと、該ホルダーの内部に収納される通水管と、該通水管の内部に引き出し自在に収納されるホースと、該ホースの先端に接続され、通水管に着脱自在に支持されるシャワーヘッドとを備えたものである。
【０００９】
請求項２では、前記通水管はホルダーの内部を摺動自在に収納されるものである。
【００１０】
請求項３では、ホース収納式吐水管は、水栓に装着されるホルダーと、該ホルダーの内部に収納される通水管と、内部にスライド管を収容したシャワーヘッドと、前記通水管及びスライド管の内部に引き出し自在に収容されるホースとを備えたものである。
【００１１】
請求項４では、前記ホースに摺動部材を結合し、該摺動部材が通水管内を水密的に摺動するものである。
【００１２】
請求項５では、前記ホースに摺動部材を結合し、該摺動部材がスライド管内を水密的に摺動するものである。
【００１３】
請求項６では、ホース収納式吐水管を備えた水栓は、カウンターに固定される水栓本体と、該水栓本体に収容される混合弁と、該混合弁で調節された湯水が吐水される吐水管とを備え、該吐水管は水栓本体に装着されるホルダーと、該ホルダーの内部に収納される通水管と、該通水管の内部に引き出し自在に収納されるホースと、該ホースの先端に接続され、通水管に着脱自在に支持されるシャワーヘッドとを備えたものである。
【００１４】
請求項７では、前記通水管はホルダーの内部を摺動自在に収納されるものである。
【００１５】
請求項８では、ホース収納式吐水管を備えた水栓は、カウンターに固定される水栓本体と、該水栓本体に収容される混合弁と、該混合弁で調節された湯水が吐水される吐水管とを備え、該吐水管は水栓本体に装着されるホルダーと、該ホルダーの内部に収納される通水管と、内部にスライド管を収容したシャワーヘッドと、前記通水管及びスライド管の内部に引き出し自在に収容されるホースとを備えたものである。
【００１６】
請求項９では、前記ホースに摺動部材を結合し、該摺動部材が通水管内を水密的に摺動するものである。
【００１７】
請求項１０では、前記ホースに摺動部材を結合し、該摺動部材がスライド管内を水密的に摺動するものである。
【００１８】
【発明の実施の形態】
以下に、本発明の実施形態を図１乃至図３に基づいて詳細に説明する。
図１及び図２に示すように、本発明の吐水管１は、水栓Ａの外周面に回転自在に装着されるホルダー２と、該ホルダー２の内部に摺動自在に収納される円筒状の通水管３と、該通水管３に着脱自在に支持されるシャワーヘッド４と、該シャワーヘッド４の基端に接続され、通水管３の内部に引き出し自在に収納されるホース５とを備えている。
【００１９】
前記ホルダー２は水栓Ａの水栓本体１７に外嵌される円筒部６と、該円筒部６から上部傾斜方向に延設した傾斜部７とからなり、内部には水栓本体１７で流量及び温度が調節された湯水が通過する流路８が形成されている。また、傾斜部７の先端は開口し、内周面には内周側中心に向けて環状の鍔部９が形成されている。
【００２０】
前記通水管３は、その一部が前記ホルダー２の傾斜部７内部に収納され、摺動するものであり、先端外周に支持部材１０が結合され、該支持部材１０には、シャワーヘッド４が着脱自在に支持される。さらに、通水管３の先端内周側には、ホース５に付着した水を払い落とすことのできる水切部材１１が、ビス１２により固定されている。そしてシャワーヘッド４の基端には前記ホース５が接続され、該ホース５の他端は通水管３の内部に収納される。
【００２１】
前記ホース５はその基端に該ホース５より大径に形成された摺動部材１３が結合されている。該摺動部材１３の外周面には環状溝１４が形成され、該環状溝１４には通水管３の内周面に水密的に密着するシール部材１５が装着されている。
【００２２】
水栓Ａは図２に示すように、縦長の円筒状に形成された水栓本体１７が、流し台や洗面台等のカウンター１６に起立した状態で固定されるものである。水栓本体１７の内部には、セラミックス製で略円盤型の固定板１９と、該固定板１９と同一素材の可動板２０とを水密に重ね合わせた混合弁１８が装着されており、水栓本体１７の下部には給湯管２１と給水管２２とが接続され、湯，水は給湯管２１及び給水管２２により混合弁１８に供給される。
【００２３】
前記混合弁１８の下部は吐水管１の流路８と連通し、この混合弁１８と上部で連繋したレバー２３を上下又は左右に操作することで、前記固定板１９と可動板２０との弁開閉の対応関係を変化させることによって、吐水管１の流路８に供給される湯水の流量又は温度の調節が可能である。
【００２４】
前記水栓本体１７の下部には支持棒２４が結合され、該支持棒２４をカウンター１６に穿設された取付孔１６ａに挿通し、座金２５をカウンター１６の下部に当て、座金２５の下部からナット２６を支持棒２４の外周面に螺着することにより、水栓本体１７はカウンター１６に起立した状態で固定されるようになっている。なお、水栓は本実施例で示したシングルレバー式に限らず、サーモスタット式或いは２ハンドル式であってもよい。
【００２５】
図２は本発明の吐水管１を水栓本体１７の外周面に装着した状態であり、シャワーヘッド４が通水管３の先端に支持され、該通水管３の一部がホルダー２に収納された状態では、ホース５基端の摺動部材１３は通水管３の内部で奥まで収納されている。
【００２６】
そして、図３に示すように通水管３を握ってホルダー２から引き出すと、通水管３に支持されたシャワーヘッド４の位置を、水栓本体１７から前方の上部傾斜方向へ移動させることができる。
【００２７】
次にシャワーヘッド４を通水管３から引き出すと、ホース５は通水管３の内周面に沿って水密的に摺動しながら引き出され、図４に示すよう摺動部材１３が水切部材１１に当接したところで停止し、ホース５の摺動部材１３が水切部材１１に当接するまでの範囲で、シャワーヘッド４を通水管３から引き出すことができる。なお、シャワーヘッド４は図２に示す状態から引き出してもよい。このように、水切部材はホースに付着した水が通水管の内部に浸入するのを防止するだけでなく、ホースを引き出した際に通水管から抜けるのを防止するストッパーを兼ねている。また、ホルダーには通水管とホースとが二重構造で収納されているので、ホースをホルダーの長さに制限されることなく十分な長さで引き出して使用することができる。
【００２８】
以上のように本発明のホース収納式吐水管では、ホースは吐水管のみに収納され、シャワーヘッドと共に吐水管の内部から引き出すことができる。即ち、図５はホースが収納されていない吐水管が装着された水栓Ｃであり、この水栓Ｃの場合、吐水管１ｂの先端に形成された吐水口２７から湯水が吐水される。そして、この水栓Ｃを、ホース収納式吐水管を備えた水栓Ａに変更するには、水栓Ｃから吐水管１ｂのみを取り外して、図１に示す吐水管１を装着すればよく、吐水管以外の水栓本体１７，混合弁１８，その他の構成部品はすべて共通の部品を使用することができる。また、製造工程においてはホース収納式吐水管とホースが収納されていない２種類の吐水管を用意し、仕様に応じて何れかの吐水管を共通の水栓に装着すれば、異なるタイプの水栓を完成させることができる。
【００２９】
図６乃至図１４は本発明の別の実施形態である。
先の実施形態では、シャワーヘッドの位置を水栓本体から前方の上部傾斜方向へ引き出すには、通水管を握ってホルダーから引き出すが、さらにシャワーヘッドを引き出すには、シャワーヘッドを握って通水管から引き出す。このように、シャワーヘッドを引き出すには、最初は通水管を握り、次にシャワーヘッドを握る必要があり、操作に戸惑うものであった。本実施形態では、シャワーヘッドの引き出し時における操作性の向上を図るものである。なお、先の実施例と同一構成には同一番号を付し、詳細な説明を省略する。
【００３０】
この実施形態の吐水管１ａは、図６に示すように、水栓Ｂの外周面に回転自在に装着されるホルダー２ａと、該ホルダー２ａの内部に収容される円筒形の通水管３ａと、内部にスライド管３８を収容したシャワーヘッド４ａと、前記通水管３ａとスライド管３８の内部に引き出し自在に収納されるホース５ａとを備えている。
【００３１】
前記ホルダー２ａは、水栓Ｂの水栓本体１７に外嵌される円筒部６ａと、該円筒部６ａから上部傾斜方向に延設した傾斜部７ａとからなり、内部には水栓本体１７で流量及び温度が調節された湯水が通過する流路８ａが形成されている。また、ホルダー２ａの内部には通水管３ａが収納され、該通水管３ａはホース５ａを介してシャワーヘッド４ａと連通している。さらに、ホルダー２ａの先端外周面には、シャワーヘッド４ａを着脱自在に支持するための支持部材１０ａが装着されている。
【００３２】
前記通水管３ａは金属材又は合成樹脂材により形成され、図１１に示すように、ホルダー２ａの内径と同径の略円筒形で、一端には係止部材３ｂが螺合され、該係止部材３ｂは内周側及び外周側に向かって鍔部３ｃが形成されている。また、通水管３ａの他端には環状のフランジ部３ｄが内周側に向かって形成されている。
【００３３】
前記支持部材１０ａは金属材又は合成樹脂材により形成された略筒形で、ホルダー２ａの先端に設けられている。該支持部材１０ａの周面の一部にはねじ孔２８が穿設されており、該ねじ孔２８にビス１２ａを螺合することにより、ホルダー２ａに対し通水管３ａ及び支持部材１０ａを結合している。また、支持部材１０ａの開口部３１内周には、シャワーヘッド４ａの引き出しを制御するための後述する拘束部材４４が装着されており、ねじ孔２８と隣接して操作孔２９が穿設され、該操作孔２９から拘束部材４４の一部が外部へ突出している。
【００３４】
前記シャワーヘッド４ａはホルダー２ａの先端に着脱自在に支持され、図１２に示すように、その内部には筒部材３６，スライド管３８及びホース５ａが順に収容されている。また、シャワーヘッド４ａの基端には、シャワーヘッド４ａをホルダー２ａの先端に支持するための保持筒３３が螺着されている。
【００３５】
前記ホース５ａは、図１１及び図１２に示すように、通水管３ａ及びスライド管３８より小径で、その両端にホース５ａより大径に形成された摺動部材１３ａが結合されている。該摺動部材１３ａの外周面には環状溝１４ａが形成され、該環状溝１４ａには通水管３ａ及びスライド管３８の内周面に水密的に密着するシール部材１５ａが装着されている。
【００３６】
前記筒部材３６は金属材又は合成樹脂材により形成され、シャワーヘッド４ａの内周面を挿通する円筒形で、シャワーヘッド４ａの内周面に螺着されている。筒部材３６の一端には、スライド管３８の外径と略同径の第１係止部材３７が螺合されている。
【００３７】
前記スライド管３８は金属材又は合成樹脂材により形成され、前記筒部材３６より小径の略円筒形である。スライド管３８の一端には、ホース５ａの外径と略同径の第２係止部材３９が螺合されており、他端の外周面には前記筒部材３６の内周面に当接する鍔部４０が形成されており、該鍔部４０には環状溝４１が形成され、該環状溝４１にはＯリング等のシール部材４２が装着されている。また、スライド管３８の他端には、環状のフランジ部４３が内周側に突出して形成されている。
【００３８】
前記保持筒３３は金属材及び合成樹脂材により形成された略円筒形で、シャワーヘッド４ａの基端に螺合されている。図１３に示すように、保持筒３３は円周上の一部を切り欠いて係止片３４が形成されており、該係止片３４の先端には、内周側に向けて突出した係止突起３５が形成されている。この係止片３４は、外力が作用すると内周方向に撓むものである。
【００３９】
前記拘束部材４４は、図１１に示すように、板ばね４５と操作ボタン４８とを備え、板ばね４５は弾性力を備えた金属材又は合成樹脂材により形成され、支持部材１０ａの内周面を環状に覆うことができるように湾曲させた略リング状であり、支持部材１０ａの開口部３１の内周面に沿って略同一間隔毎に形成された複数個のリブ３２に係止することで、周方向に移動しないように保持させている。
【００４０】
前記操作ボタン４８は、図１１及び図１３に示すように、略半球形状の頭部４９と、該頭部４９と一体で略長方形状に形成された係止部５０と、頭部４９の軸線と同軸方向に形成された凸部５１とから構成されている。該凸部５１には、頭部４９と係止部５０とを結ぶ軸線に対し垂直方向に挿通孔５２が形成され、該挿通孔５２は保持筒３３の係止片３４を挿通可能な大きさである。また、凸部５１の端面には受部５３が形成されており、該受部５３が支持部材１０ａの開口部３１の内周で、板ばね４５の折曲部４６の反対側に形成された端部５２と当接して、板ばね４５の弾性力により外側へ向けて付勢されることにより、操作ボタン４８は支持部材１０ａの側面に穿設された操作孔２９に開口部３１側から挿通して、その頭部４９が外側へ出没自在としたものである。
【００４１】
図７は本実施形態の吐水管を水栓本体の外周面に装着した状態である。
本実施形態において、シャワーヘッド４ａをホルダー２ａから引き出して使用する場合には、まず、図７の状態において、支持部材１０ａから外側に突出している操作ボタン４８を押すと、図１１及び図１２に示す保持筒３３の係止突起３５と操作ボタン４８の凸部５１との係合状態が解除され、保持筒３３の係止片３４が操作ボタン４８の挿通孔５２を挿通可能な状態となる。
【００４２】
次に、この状態でシャワーヘッド４ａを握り、ホルダー２ａから引き出すと、通水管３ａ内の摺動部材１３ａは、通水管３ａの内周面に沿って水密的に摺動しながら引き出され、図８に示すように、通水管３ａ内の摺動部材１３ａが係止部材３ｂの鍔部３ｃに当接するまでの範囲で、シャワーヘッド４ａを引き出すことができる。
【００４３】
そして、シャワーヘッド４ａを握りさらに引き出すと、図９に示すように、シャワーヘッド４ａは筒部材３６の内部を摺動部材１３ａが水密的にスライドしながら引き出され、摺動部材１３ａがスライド管３８の端部に螺合されている第２係止部材３９に当接するまでの範囲で、シャワーヘッド４ａを引き出すことができる。
【００４４】
さらにシャワーヘッド４ａをさらに引き出すと、図１０に示すように、シャワーヘッド４ａはスライド管３８に対し水密的に摺動しながら引き出され、スライド管３８の鍔部４０が、筒部材３６の端部に螺合されている第１係止部材３７に当接するまでの範囲で、シャワーヘッド４ａを引き出すことができる。
【００４５】
本実施例の混合水栓によると、前記実施形態と同様に、ホースは吐水管のみに収納され、シャワーヘッドと共に吐水管の内部から引き出すことができる。即ち図５はホースが収納されていない吐水管が装着された水栓Ｃであり、この水栓Ｃの場合、吐水管１ｂの先端に形成された吐水口２７から湯水が吐水される。そして、この水栓Ｃを、ホース収納式吐水管を備えた水栓Ｂに変更するには、水栓Ｃから吐水管１ｂのみを取り外して、図６に示す吐水管１ａを装着すればよく、吐水管以外の水栓本体１７，混合弁１８，その他の構成部品はすべて共通の部品を使用することができる。また、製造工程においてはホース収納式吐水管とホースが収納されていない２種類の吐水管を用意し、仕様に応じて何れかの吐水管を共通の水栓に装着すれば、異なるタイプの水栓を完成させることができる。さらに、先の実施形態の混合水栓と比較して、シャワーヘッドのみを握ればホルダーから、シャワーヘッドをホースと共に引き出すことができ、操作性を向上させることができる。そして、ホルダーに拘束部材を設けたので、シャワーヘッドの引き出しを制御することができる。
【００４６】
【発明の効果】
請求項１では、吐水管は、シャワーヘッドと接続したホースが吐水管の内部のみに引き出し自在に収納されるので、ホースが収納されていない吐水管が装着された水栓から吐水管のみを取り外して、本発明の吐水管を水栓に装着することで、ホース収納式の吐水管を備えた水栓に変更することができ、構成部品の共通化を図ることができる。したがって、製造工程においては本発明の吐水管と、ホースが収納されていない２種類の吐水管を用意し、仕様に応じて何れかの吐水管を共通の水栓に装着すれば、異なるタイプの水栓を完成させることができる。また、水栓の利用者は、ホースが収納されていない吐水管を備えた水栓がカウンターに固定されている場合に、吐水管を取り外し、本発明の吐水管を装着するだけで、ホースが収納された吐水管を備えた水栓に変更することができ、安価な費用で作業性の優れた水栓に変更が可能となる。なお、ホースはカウンターの取付孔を挿通しないので、取付孔の孔径を変更しなくても水栓を固定することができる。
【００４７】
請求項３では、吐水管は、シャワーヘッド内に収容されたホースが吐水管及びシャワーヘッドの内部に引き出し自在に収納されるので、ホースが収納されていない吐水管が装着された水栓から吐水管のみを取り外して、本発明の吐水管を水栓に装着することで、ホース収納式の吐水管を備えた水栓に変更することができ、構成部品の共通化を図ることができる。したがって、製造工程においては本発明の吐水管と、ホースが収納されていない２種類の吐水管を用意し、仕様に応じて何れかの吐水管を共通の水栓に装着すれば、異なるタイプの水栓を完成させることができる。また、水栓の利用者は、ホースが収納されていない吐水管を備えた水栓がカウンターに固定されている場合に、吐水管を取り外し、本発明の吐水管を装着するだけで、ホースが収納された吐水管を備えた水栓に変更することができ、安価な費用で作業性の優れた水栓に変更が可能となる。なお、ホースはカウンターの取付孔を挿通しないので、取付孔の孔径を変更しなくても水栓を固定することができる。
【００４８】
また、吐水管のホルダーには通水管とホースとが二重構造で収納されているので、ホースをホルダーの長さに制限されることなく十分な長さで引き出して使用することができる
【００４９】
さらに、ホ−スは摺動部材が通水管内及びスライド管の内周面に沿ってスムーズに摺動させることができる。
【００５０】
請求項６及び７によるホース収納式吐水管を備えた水栓は、ホースが吐水管の内部に収納されるので、ホースを備えていない水栓と構成部品の共通化が可能であり、カウンターの孔径を変更しなくても固定することができる。
【図面の簡単な説明】
【図１】本発明によるホース収納式吐水管の縦断面図である。
【図２】図１のホース収納式吐水管を装着した水栓の縦断面図である。
【図３】図２の水栓の通水管をホルダーから引き出した状態の説明図である。
【図４】図３の水栓のシャワーヘッドを通水管から引き出した状態の説明図である。
【図５】ホースが収納されていない吐水管が装着された水栓の説明図である。
【図６】本発明の別の実施形態によるホース収納式吐水管の縦断面図である。
【図７】図６のホース収納式吐水管を装着した水栓の縦断面図である。
【図８】図７の混合水栓において、シャワーヘッドを引き出した状態の説明図である。
【図９】図８の混合水栓において、シャワーヘッドをさらに引き出した状態の説明図である。
【図１０】図９の混合水栓において、シャワーヘッドをさらに引き出した状態の説明図である。
【図１１】ホルダー内に収容された拘束部材の構成を示す説明図である。
【図１２】シャワーヘッド内に収容されたスライド管及びホースの構成を示す説明図である。
【図１３】支持筒と操作ボタンの関係を示す説明図である。
【図１４】従来の水栓の説明図である。
【符号の説明】
１，１ａ                吐水管
２，２ａ                ホルダー
３，３ａ                通水管
４，４ａ                シャワーヘッド
５，５ａ                ホース
１３，１３ａ            摺動部材
１６                    カウンター
１７，１７ａ            水栓本体
１８                    混合弁
３８                    スライド管
Ａ，Ｂ                  水栓
【図１】
2004225525.tif 000003
【図２】
2004225525.tif 000004
【図３】
2004225525.tif 000005
【図４】
2004225525.tif 000006
【図５】
2004225525.tif 000007
【図６】
2004225525.tif 000008
【図７】
2004225525.tif 000009
【図８】
2004225525.tif 000010
【図９】
2004225525.tif 000011
【図１０】
2004225525.tif 000012
【図１１】
2004225525.tif 000013
【図１２】
2004225525.tif 000014
【図１３】
2004225525.tif 000015
【図１４】
2004225525.tif 000016